【手続補正書】
【提出日】平成24年9月11日(2012.9.11)
【手続補正１】
【補正対象書類名】明細書
【補正対象項目名】０００７
【補正方法】変更
【補正の内容】
【０００７】
前記課題を解決するために、請求項１に記載のネイルプリント装置は、
複数の指の爪を撮影する撮影手段と、
前記撮影手段により撮影された前記複数の指の爪の画像から、各前記指の種類を検出する指種類検出手段と、
前記指種類検出手段により検出された前記指の種類と、前記撮影手段により撮影された前記複数の指の爪の画像と、を対応付けて記憶させる第１の記憶制御手段と、
印刷するデザイン画像と、前記第１の記憶制御手段の制御により記憶された前記指の種類別の爪の画像と、を合成して合成爪画像を生成する合成爪画像生成手段と、
前記合成爪画像生成手段により合成された合成爪画像をネイルチップシート上に印刷するように制御する印刷制御手段と、
を備えていることを特徴としている。
【手続補正２】
【補正対象書類名】明細書
【補正対象項目名】０００８
【補正方法】変更
【補正の内容】
【０００８】
請求項２に記載の発明は、請求項１に記載のネイルプリント装置において、
印刷する前記デザイン画像を指定するデザイン指定手段と、
前記デザイン指定手段により指定された前記デザイン画像を記憶させる第２の記憶制御手段と、
前記撮影手段により撮影された前記爪の画像から爪の輪郭を抽出する爪輪郭抽出手段と、
を備え、
前記合成爪画像生成手段は、前記爪の画像のうち前記爪輪郭抽出手段により抽出された爪の輪郭を、前記デザイン画像と合成して合成爪画像を生成するものであることを特徴としている。
【手続補正３】
【補正対象書類名】明細書
【補正対象項目名】０００９
【補正方法】変更
【補正の内容】
【０００９】
また、請求項３に記載のネイルプリント装置は、
複数の指の爪を撮影する撮影手段と、
前記撮影手段により撮影された前記複数の指の爪の画像から、各前記指の種類を検出する指種類検出手段と、
前記指種類検出手段により検出された前記指の種類と、前記撮影手段により撮影された前記複数の指の爪の画像と、を対応付けて記憶させる第１の記憶制御手段と、
前記撮影手段により撮影された前記指の爪の画像から、前記爪の輪郭を抽出する爪輪郭抽出手段と、
前記爪輪郭抽出手段により抽出された前記爪の輪郭を、前記第１の記憶制御手段の制御により記憶された前記指の種類別にネイルチップシート上に印刷するように制御する印刷制御手段と、
を備えていることを特徴としている。
【手続補正４】
【補正対象書類名】明細書
【補正対象項目名】００１０
【補正方法】変更
【補正の内容】
【００１０】
請求項４に記載の発明は、請求項３に記載のネイルプリント装置において、
前記印刷制御手段によりネイルチップシート上に印刷されている爪の輪郭線に沿って、当該ネイルチップシートを切断するように制御する切断制御手段をさらに備えていることを特徴としている。
【手続補正５】
【補正対象書類名】明細書
【補正対象項目名】００１１
【補正方法】変更
【補正の内容】
【００１１】
また、請求項５に記載の印刷制御方法は、
撮影手段により撮影された複数の指の爪の画像から各前記指の種類を検出する指種類検出ステップと、
前記指種類検出ステップにより検出された前記指の種類と、前記撮影手段により撮影された前記複数の指の爪の画像と、を対応付けて記憶させる第１の記憶制御ステップと、
デザイン指定手段により指定された印刷するデザイン画像と、前記第１の記憶制御ステップの制御により記憶された前記指の種類別の爪画像と、を合成して合成爪画像を生成する合成爪画像生成ステップと、
前記合成爪画像生成ステップにより合成された合成爪画像をネイルチップシート上に印刷するように制御する印刷制御ステップと、
を備えていることを特徴としている。
【手続補正６】
【補正対象書類名】明細書
【補正対象項目名】００１２
【補正方法】変更
【補正の内容】
【００１２】
また、請求項６に記載の発明は、請求項５に記載の印刷制御方法において、
前記デザイン指定手段により指定された前記デザイン画像を記憶させる第２の記憶制御ステップと、
前記撮影手段により撮影された前記指の爪の画像から爪の輪郭を抽出する爪輪郭抽出ステップと、
を備え、
前記合成爪画像生成ステップは、前記爪の画像のうち前記爪輪郭抽出ステップにより抽出された爪の輪郭を前記デザイン画像と合成して合成爪画像を生成するものであることを特徴としている。
【手続補正７】
【補正対象書類名】明細書
【補正対象項目名】００１３
【補正方法】変更
【補正の内容】
【００１３】
また、請求項７に記載の印刷制御方法は、
撮影手段により撮影された複数の指の爪の画像から各前記指の種類を検出する指種類検出ステップと、
前記指種類検出ステップにより検出された前記指の種類と、前記撮影手段により撮影された前記複数の指の爪画像と、を対応付けて記憶させる第１の記憶制御ステップと、
前記撮影手段により撮影された前記指の爪の画像から爪の輪郭を抽出する爪輪郭抽出ステップと、
前記爪輪郭抽出ステップにより抽出された前記爪の輪郭線を、前記第１の記憶制御ステップの制御により記憶された前記指の種類別にネイルチップシート上に印刷するように制御する印刷制御ステップと、
を備えていることを特徴としている。
【手続補正８】
【補正対象書類名】明細書
【補正対象項目名】００１４
【補正方法】変更
【補正の内容】
【００１４】
また、請求項８に記載の発明は、請求項７に記載の印刷制御方法において、
前記印刷制御ステップによりネイルチップシート上に印刷されている爪の輪郭線に沿って、当該ネイルチップシートを切断するように制御する切断制御手段をさらに備えていることを特徴としている。
【手続補正９】
【補正対象書類名】特許請求の範囲
【補正対象項目名】全文
【補正方法】変更
【補正の内容】
【特許請求の範囲】
【請求項１】
複数の指の爪を撮影する撮影手段と、
前記撮影手段により撮影された前記複数の指の爪の画像から、各前記指の種類を検出する指種類検出手段と、
前記指種類検出手段により検出された前記指の種類と、前記撮影手段により撮影された前記複数の指の爪の画像と、を対応付けて記憶させる第１の記憶制御手段と、
印刷するデザイン画像と、前記第１の記憶制御手段の制御により記憶された前記指の種類別の爪の画像と、を合成して合成爪画像を生成する合成爪画像生成手段と、
前記合成爪画像生成手段により合成された合成爪画像をネイルチップシート上に印刷するように制御する印刷制御手段と、
を備えていることを特徴とするネイルプリント装置。
【請求項２】
印刷する前記デザイン画像を指定するデザイン指定手段と、
前記デザイン指定手段により指定された前記デザイン画像を記憶させる第２の記憶制御手段と、
前記撮影手段により撮影された前記爪の画像から爪の輪郭を抽出する爪輪郭抽出手段と、
を備え、
前記合成爪画像生成手段は、前記爪の画像のうち前記爪輪郭抽出手段により抽出された爪の輪郭を、前記デザイン画像と合成して合成爪画像を生成するものであることを特徴とする請求項１に記載のネイルプリント装置。
【請求項３】
複数の指の爪を撮影する撮影手段と、
前記撮影手段により撮影された前記複数の指の爪の画像から、各前記指の種類を検出する指種類検出手段と、
前記指種類検出手段により検出された前記指の種類と、前記撮影手段により撮影された前記複数の指の爪の画像と、を対応付けて記憶させる第１の記憶制御手段と、
前記撮影手段により撮影された前記指の爪の画像から、前記爪の輪郭を抽出する爪輪郭抽出手段と、
前記爪輪郭抽出手段により抽出された前記爪の輪郭を、前記第１の記憶制御手段の制御により記憶された前記指の種類別にネイルチップシート上に印刷するように制御する印刷制御手段と、
を備えていることを特徴とするネイルプリント装置。
【請求項４】
前記印刷制御手段によりネイルチップシート上に印刷されている爪の輪郭線に沿って、当該ネイルチップシートを切断するように制御する切断制御手段をさらに備えていることを特徴とする請求項３に記載のネイルプリント装置。
【請求項５】
撮影手段により撮影された複数の指の爪の画像から各前記指の種類を検出する指種類検出ステップと、
前記指種類検出ステップにより検出された前記指の種類と、前記撮影手段により撮影された前記複数の指の爪の画像と、を対応付けて記憶させる第１の記憶制御ステップと、
デザイン指定手段により指定された印刷するデザイン画像と、前記第１の記憶制御ステップの制御により記憶された前記指の種類別の爪画像と、を合成して合成爪画像を生成する合成爪画像生成ステップと、
前記合成爪画像生成ステップにより合成された合成爪画像をネイルチップシート上に印刷するように制御する印刷制御ステップと、
を備えていることを特徴とする印刷制御方法。
【請求項６】
前記デザイン指定手段により指定された前記デザイン画像を記憶させる第２の記憶制御ステップと、
前記撮影手段により撮影された前記指の爪の画像から爪の輪郭を抽出する爪輪郭抽出ステップと、
を備え、
前記合成爪画像生成ステップは、前記爪の画像のうち前記爪輪郭抽出ステップにより抽出された爪の輪郭を前記デザイン画像と合成して合成爪画像を生成するものであることを特徴とする請求項５に記載の印刷制御方法。
【請求項７】
撮影手段により撮影された複数の指の爪の画像から各前記指の種類を検出する指種類検出ステップと、
前記指種類検出ステップにより検出された前記指の種類と、前記撮影手段により撮影された前記複数の指の爪画像と、を対応付けて記憶させる第１の記憶制御ステップと、
前記撮影手段により撮影された前記指の爪の画像から爪の輪郭を抽出する爪輪郭抽出ステップと、
前記爪輪郭抽出ステップにより抽出された前記爪の輪郭線を、前記第１の記憶制御ステップの制御により記憶された前記指の種類別にネイルチップシート上に印刷するように制御する印刷制御ステップと、
を備えていることを特徴とする印刷制御方法。
【請求項８】
前記印刷制御ステップによりネイルチップシート上に印刷されている爪の輪郭線に沿って、当該ネイルチップシートを切断するように制御する切断制御手段をさらに備えていることを特徴とする請求項７に記載の印刷制御方法。